(57)【特許請求の範囲】
【請求項１】
複数の装置のそれぞれに、他の装置の機能へのアクセスを提供する方法であって、前記複数の装置は、複数の主装置（ＥＰ０〜ＥＰ５）と、全主装置と通信することが可能なマネージャ装置（ＥＭ）とを含んでいる、方法において、
装置の機能への少なくとも１つのリンクを含み、該装置の特徴を示す各装置のプレゼンテーション（ＰＲ０〜ＰＲ５）を、それぞれの装置自体またはマネージャ装置（ＥＭ）に記憶する予備段階（ＥＴ０）と、
第１の主装置（ＥＰｉ）と、マネージャ装置とが接続し、マネージャ装置が、第１の主装置にアドレスを有り当てる段階と、
第１の主装置（ＥＰｉ）のプレゼンテーション（ＰＲｉ）を、第１の主装置が有している場合、マネージャ装置（ＥＭ＝ＥＰ０）が、第１の主装置（ＥＰｉ）のプレゼンテーション（ＰＲｉ）を、第１の主装置から取り込む段階（ＥＴ３）と、
マネージャ装置（ＥＭ）のプレゼンテーションと、他の主装置のプレゼンテーションと、第１の主装置（ＥＰｉ）のプレゼンテーションとを有するホームページを作成する段階（ＥＴ４）と、
各主装置のホームページとして、マネージャ装置（ＥＭ）から総ての主装置に、前記ホームページをダウンロードする段階（ＥＴ５）と、
各主装置において、前記ダウンロードされたホームページに含まれるプレゼンテーションから、他の装置の機能へのアクセス機能を提供する段階と、
を含むことを特徴とする方法。
【請求項２】
ホームページ（ＡＢ／Ａ；ＡＢ／Ｂ）内の装置（Ａ；Ｂ）のプレゼンテーション（ＰＲＡ；ＰＲＢ）が、装置内で読まれ、装置の諸機能に対するリンクを含む機能ページへのハイパーリンクのスタートアンカーを含むことを特徴とする請求項１に記載の方法。
【請求項３】
マネージャ装置が、ホームページを有する主装置に、第１の主装置のアドレス（ＩＰｉ）を送信すること（ＥＴ５）を含む請求項１に記載の方法。
【請求項４】
ホームページを作成する前記段階及びホームページをダウンロードする前記段階（ＥＴ４、ＥＴ５）が、
マネージャ装置（ＭＯ）によって各主装置に対応するホームページ（ＥＰＲｊ／ＴＴｊ）を作成する段階と、作成したホームページを対応する主装置（ＥＰＲｊ）にダウンロードする段階を含み、
各ホームページ（ＥＰＲｊ／ＴＴｊ）は、対応する主装置（ＥＰＲｊ）のプレゼンテーション（ＭＩｊ）と、対応する主装置専用であるマネージャ装置内のアプリケーションのプレゼンテーション（ＴＴｊ、ＤＩｊ）とを含むことを特徴とする請求項１に記載の方法。
【請求項５】
ホームページを作成する前記段階及びホームページをダウンロードする前記段階が、
前記他の主装置のプレゼンテーションおよび第１の主装置（ＥＰｉ）のプレゼンテーションとを有するホームページを作成する段階（ＥＴ４）と、
各主装置のホームページとして、マネージャ装置（ＥＭ）から総ての主装置に、前記ホームページをダウンロードする段階（ＥＴ５）と、
で置き換えられることを特徴とする請求項１に記載の方法。
【請求項６】
請求項１から５のいずれか１項に記載の方法を実行する様に構成されたマネージャ装置。
【請求項７】
請求項１から５のいずれか１項に記載の方法を実行する様に構成された主装置。
【発明の詳細な説明】
【０００１】
本発明は、相互に接続された複数の電子装置の相互機能に関する。より詳細には、本発明は、任意の装置から他の装置の利用可能なすべての機能に容易にアクセスするための装置グループに関する。
【０００２】
インターネットのようなデータレートの高いデータ伝送ネットワークを介して提供されるサービスの急激な増加、ならびに入手可能なハードウェアおよびソフトウェアツールの多様性により、電子装置特に端末の設計者はその設計の重点をこれらのネットワークへのアクセス環境に向けるようになってきた。
【０００３】
したがって本発明は、データレートの高いデータ伝送ネットワークへのアクセス環境において多くの場合異種な装置、機器または端末の発展型相互機能を対象とする。装置は、ハイパーリンク、およびＨＴＭＬ（ＨｙｐｅｒＴｅｘｔ  Ｍａｒｋｕｐ  Ｌａｎｇｕａｇｅ）プレゼンテーション、ＨＴＴＰプロトコル  （ＨｙｐｅｒＴｅｘｔ  Ｔｒａｎｓｆｅｒｔ  Ｐｒｏｔｏｃｏｌ）を用いたクライエント／サーバタイプの機能などを利用して、インターネットソリューションの一環としてすでに設計または適合された機器または端末とすることができる。また装置は、そのハイパーテキスト機能への発展の可能性がきわめて高いあらゆる種類の機器、たとえばファクシミリ、プリンタ、固定型または移動型電話、留守番電話装置、ビデオテックス端末（ＭＩＮＩＴＥＬ）、インターネット、ビデオテープレコーダ、テレビジョン、遠隔管理センタ、遠隔記録センタ、遠隔保守センタ、より一般的には家庭用遠隔操作および遠隔管理センタ、それらと通信を行う制御および／または警報装置、公共の場に置かれたサービスへのアクセス用電話端末、パーソナルコンピュータに内蔵または接続されたカードあるいは周辺装置などもよい。
【０００４】
ＣＭＩＰ（Ｃｏｍｍｏｎ  Ｍａｎａｇｅｍｅｎｔ  Ｉｎｆｏｒｍａｔｉｏｎ  Ｃｏｎｔｒｏｌ）プロトコルおよびＳＮＭＰ（Ｓｉｍｐｌｅ  Ｎｅｔｗｏｒｋ  Ｍａｎａｇｅｍｅｎｔ  Ｐｒｏｔｏｃｏｌ）プロトコルは、現在インターネット網においてのみならずイントラネット網、すなわちローカルに統合された装置間においても、動作とトラフィックの管理に寄与している。これらのプロトコルはハイパーテキスト機能を使用していない。ＣＭＩＰプロトコルは、実施および運用が複雑で小型装置には適さない。特にローカルネットワーク用として使用されるＳＮＭＰプロトコルでは、中央管理手段と複数の被管理エージェント装置との間の定期的なやり取りが極めて多く、これらの装置の同期が困難になる。さらに、中央管理手段によるエージェント装置の認証は保証されておらず、「トラップ」すなわちエージェント装置から管理手段に伝送される警告が失われる可能性がある。
【０００５】
また、あるアプリケーションに必要なハードウェアに対応するカードをマイクロコンピュータのバスに挿入した後、ＷＩＮＤＯＷＳ（登録商標）環境において「ｐｌｕｇ  ＆  ｐｌａｙ」のコンセプトにより、ハイパーテキスト機能の原理に従うことなく、新しいアプリケーションの自動認識を行うことができる。アプリケーションの組み込みおよび／または使用には、ダイアログボックスを開きかつ／あるいは実行可能なプログラムを起動するために、マイクロコンピュータのユーザは種々の作業を行わなければならない。いかなる自動装置も、テキスト表示やイメージ表示などの記号でユーザにアプリケーションを使用するよう促すようにはなっていない。種々のアプリケーションを有する複数のマイクロコンピュータがローカルネットワークに接続されているときも同様である。
【０００６】
本発明は、関連付けられた装置において利用可能な機能の全体あるいは一部を統合する、発展可能なグループまたは端末を仮想的に構成するようにして、上述の従来の技術の不備を解消することを目的とする。本発明によりグループ内の任意の装置からグループの装置の機能へのアクセスが可能となる。
【０００７】
この目的のため、複数の主装置と、すべての主装置と通信が可能なマネージャ装置とを機能的に関連付ける方法は、
それぞれの装置のある１つの機能への少なくとも１つのリンクを含む各装置のプレゼンテーションをそれぞれの装置自体またはマネージャ装置に記憶する予備段階と、
所与の主装置を、マネージャ装置および既に関連付けられている他の主装置と関連付けるために、
マネージャ装置内で所与の主装置のプレゼンテーションを取り込むまたは選択する段階と、
マネージャ装置のプレゼンテーションと、既に関連付けられている他の主装置のプレゼンテーションと、所与の主装置のプレゼンテーションとを用いてホームページを作成する段階と、
少なくとも主装置が他の装置の機能を使用できるように、すべての装置用のホームページとしてすべての装置内のマネージャ装置からホームページをロードする段階と
を含むことを特徴とする。
【０００８】
本発明において、「装置の機能へのリンク」は、他のページへのナビゲーションが可能なハイパーリンク、書式中に含まれるコマンド、あるいは多次元表示に含まれる装置自体のコマンドとすることができる。
【０００９】
ホームページの動的構成により、グループ中の装置の相互機能が可能である。本発明により統合される各装置は、グループの任意の装置からアクセス可能かつ利用可能である。
【００１０】
本発明による主装置のグループは、たとえばミニテル−インターネットターミナル、ファクシミリ、電話、テレビ、ビデオテープレコーダなど、既存の機器または端末といった主装置の機能を発展させるものである。反対に、本発明はマネージャ装置を中心として分散する端末の構成に寄与し、さらに主装置の機能を提供する。グループ化されたすべての装置が利用可能な資源の共有化により、一連の機能がより低いコストで提供されるとともに使用の快適性が向上する。
【００１１】
各装置のプレゼンテーションには、装置および／または装置によって実現可能な少なくとも１つの機能の有意なテキストおよび／またはイメージによるプレゼンテーションを含めることができる。各プレゼンテーションは複数の表示モード、好ましくはテキストモードおよびイメージモードで表示することができる。そのため各装置のホームページは、その装置で利用される表示モードの少なくとも１つに従って視覚化される。たとえばマイクロコンピュータの画面はプレゼンテーションをテキストモードとイメージモードで表示し、ファクシミリの表示バーはプレゼンテーションをテキストモードのみで表示する。
【００１２】
より詳細には、ホームページにおける装置のプレゼンテーションは、装置内で読み取られる機能ページにリンクされ装置の機能へのリンクを含むハイパーリンクのスタートアンカーとすることができる。
【００１３】
主装置からマネージャ装置への最初の接続の際、マネージャ装置により主装置にアドレスが動的に割り当てられ、すべての装置において、装置アドレスをプレゼンテーションに対応させるテーブルが更新されるように、それがマネージャ装置から主装置にホームページとともに伝送される。所与の主装置内のテーブルを用いて、副装置に表示されるホームページ内で副装置のプレゼンテーションを選択することにより、たとえば副装置によって実行可能な機能の目次ページを読むために、選択されたプレゼンテーションと副装置の間のハイパーリンクが初期化される。
【００１４】
本発明の一実施形態によれば、ホームページを作成する段階は、少なくとも部分的にマネージャ装置外で、電話網あるいはローカルネットワークを介してマネージャ装置にリンクできる二次手段内で実行される。画像ベースへのアクセスを可能にするサーバ、あるいはマイクロコンピュータのＣＰＵに接続された画面を有するビデオカードなど、ハードウェア的にマネージャ装置とは別の二次手段により、より発展したマン−マシンインタフェースを介して、主装置を人間工学的に利用することができる。
【００１５】
特に主装置の表示手段が比較的小さいアプリケーション面を有する場合、ホームページを構成する段階は、装置のプレゼンテーションをドーターページに割り当てること、およびドーターページへのハイパーリンクを用いてマザーページを構成することを含むことができる。
【００１６】
別の変形形態によれば、ホームページを作成しロードする段階は、マネージャ装置によってホームページを作成し、主装置にそれをロードする段階で置き換えられる。各ホームページはそれぞれの第１装置のプレゼンテーションと、それぞれの主装置専用のマネージャ装置内のアプリケーションのプレゼンテーションとを含む。この変形形態は、グループのすべての装置を管理する装置と互いに独立した関係を持つ「個別の」主装置に特に対応するものである。
【００１７】
さらに別の変形形態によれば、作成しロードする段階は、
まず、すでに関係付けられた他の主装置のプレゼンテーションと、所与の主装置のプレゼンテーションを用いてホームページを作成する段階と、
すべての主装置用ホームページとして、すべての主装置内のマネージャ装置からホームページをロードする段階と
で置き換えられる。
【００１８】
この変形形態においては、マネージャ装置は画面を有さず、ハードウェア的にマネージャ装置とは別でより人間工学的かつ進歩した簡便さをユーザに提供する第２の手段によって支援される。
【００１９】
特に、以下の個々のグループ、すなわち、
−  マネージャ装置と主装置が、無線伝送システムまたは搬送電流伝送システムを介して相互に接続され、それぞれ電話網および電子機器に接続することができる端末であるグループ、
−  マネージャ装置と主装置が、無線伝送システムあるいは搬送電流伝送システムを介して相互に接続され、それぞれがマイクロコンピュータ、および電話網に接続することができる端末であるグループであって、
大半の主装置が改良されたマネージャ装置の機能を利用できるように、それぞれのマネージャ装置が所与の主装置専用であり、それぞれの主装置のプレゼンテーションとマネージャ装置内の専用のアプリケーションのプレゼンテーションとを含むホームページを構成する際に特に適合されたグループ、および
−  マネージャ装置および主装置がマイクロコンピュータのＣＰＵ、およびＣＰＵのバスに接続された電子カードであるグループ
が発明の範囲に入る。
【００２０】
本発明の他の特徴および利点は、対応する添付の図面を参照して行う本発明の好ましい実施形態についての以下の記述を読めばより明らかになるであろう。
【００２１】
本発明の方法の諸段階をよりよく理解するため、図１に示す方法の第１の実施方法を参照しながら、たとえば欧州デジタル化音声無線通信規格ＤＥＣＴ（Ｄｉｇｉｔａｌ  Ｅｕｒｏｐｅａｎ  Ｃｏｒｄｌｅｓｓ  Ｔｅｌｅｃｏｍｍｕｎｉｃａｔｉｏｎｓ）に準拠したローカル無線伝送システムにおける方法を詳細に説明する。図１においては、インターネットアクセス端末はモデムを具備し、ユーザの電話線によって電話網ＲＴに接続される。インターネットアクセス端末はローカル無線伝送システムを介して、たとえば受話器ＣＴ、ファクシミリＦＡＸ、テレビ−ビデオテープレコーダＴＭ、留守番電話ＲＥ、衛星によって中継されるテレビの信号を復号するデコーダＤＴＶなどの「移動」周辺装置と関連付けられた基地局ＳＴを構成する。
【００２２】
本発明において、基地局ＳＴ、ならびに移動周辺装置ＣＴ、ＦＡＸ、ＴＭ、ＲＥ、およびＤＴＶは、主装置ＥＰ０〜ＥＰ５のグループを構成する。主装置の機能は、単一の機器内にまとめられるのではなく、「一装置＝１つまたは複数の機能」という関係に従って物理的に割り当てられ、主装置ＥＰ０〜ＥＰ５のグループは「分散端末」と等価である。各移動式周辺装置ＣＴ、ＦＡＸ、ＴＭ、ＲＥおよびＤＴＶは、デジタル伝送プロトコル信号のやりとりにより、基地局ＳＴから明瞭に認識される。基地局は複数の移動周辺装置に接続され、１つの移動周辺装置から他の周辺装置への伝送、あるいは基地局から１つまたは複数の移動周辺装置への伝送を実行する。無線伝送技術による各装置は、基地局を会話モードで運転するためのチャネルを有し、別の周辺装置に対して別のチャネルを開くことが可能である。
【００２３】
主装置ＥＰ０〜ＥＰ５は、独立してかつ／または自律的に、電話、ファクシミリ、テレビ、ビデオテープレコーダ、マイクロコンピュータ内蔵カード、ビデオテックス端末、インターネットアクセス端末、留守番電話装置など知られている方法の、１つまたは複数の機能へのアクセスを実現および／または実行する、ハードウェアおよび／またはソフトウェアの一連の手段として規定される。各主装置ＥＰ０〜ＥＰ５は、先験的にマルチメディア、すなわちＨＴＭＬ言語（ＨｙｐｅｒＴｅｘｔ  Ｍａｋｕｐ  Ｌａｎｇｕａｇｅ）あるいは互換性のあるＨＴＭＬ（ＸＭＬ）でのハイパーリンク、データ収集入力フィールドおよび／またはチェックボックスおよび／またはラジオボタンを用いた書式集、ＶＲＭＬタイプのディスプレーデータなどであり得るリンクを含む、１つまたは複数のページを介して、グループの別の各主装置により自由に利用できる全機能にアクセスすることが可能である。
【００２４】
基地局ＥＰ０＝ＳＴにおけるインターネットの高速データレートデータ伝送網へのアクセス機能とファクシミリＥＰ２＝ＦＡＸの印刷機能の統合により、ファックス機能は基地局における「ミニテル−インターネット」機能のより充実したマン／マシンインタフェースを継承している。オンラインサービスから受信したＷＥＢページは「ミニテル−インターネット」機能から印刷される。
【００２５】
他の使用によれば、基地局ＥＰ０＝ＳＴにおけるインターネットの高速データ伝送網へのアクセス機能と、デコーダＥＰ５＝ＤＴＶにおけるコード化テレビ信号のデコード機能の統合により、ここで意識的に簡素化されたデコーダＤＴＶは、キーボードおよび／またはモニタを有さないか小型キーボードおよび／または小型モニタを有する限りにおいては、基地局のマン／マシンインタフェースにおいて、テレコマース活動、あるいはたとえば選択された映画をビデオテレビＥＰ３＝ＴＭによって表示するための料金のロードおよび／またはその行為に対する支払いのために、ミニテル−インターネット端末のカード読み取り装置およびインターネットへのアクセス可能性を使用する。
【００２６】
本発明によれば、無線リンクなど主装置のリンク方式あるいは手段の如何に関わらず、主装置ＥＰ０〜ＥＰ５の発展型相互接続を実施するために、適切な１つのプロトコル階層あるいは複数のプロトコル要素が主装置に組み入れられる。ＲＦＣ（Ｒｅｑｕｅｓｔ  Ｆｏｒ  Ｃｏｍｍｅｎｔｓ）  １５４１）コメントの呼出しを有する、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）型のアドレスの動的割り当てプロトコル要素が適している。各主装置は少なくとも１つの「ホームページの動的作成支援インタフェース」、すなわち主装置の問い合わせと、主装置によるＩＰアドレス（インターネット・プロトコル）の割り当て請求の伝送に必要なハードウェアおよびソフトウェア手段を具備する。
【００２７】
主装置におけるホームページの動的作成支援インタフェースは、グループへの主装置の付加の際、あるいはグループへの別の主装置の付加の際に使用される。
【００２８】
ＩＰアドレスの割り当てにより統合すべき装置の認識および関連付け、ならびにグループＰＧのホームページの作成を実行するため一時的に使用される「ホームページの動的作成」のインタフェースは、以下マネージャ装置ＥＭと呼ぶ主装置ＥＰ０〜ＥＰ５のうちの１つの中に含まれる。変形形態においては、マネージャ装置を規定するインタフェースは、機能上、一部が副装置側に移行され、所与の副装置から実行または活動化されるタスクを有する。副装置は電話網ＲＴあるいは主装置の統合を目的としたローカルネットワークを介してアクセス可能であるが、それ自体は統合すべき主装置に属さない。別の変形形態によれば、マネージャ装置を規定するインタフェースは、サーバ、ブリッジ、結合装置等、電話網ＲＴを介してアクセス可能なオンラインサービスを介して実行または活動化されるタスクを有する。
【００２９】
「ホームページの動的作成」のインタフェースと「ホームページの動的作成の支援」インタフェースは、マネージャ装置が当該グループの主装置であるとき、マネージャ装置に含まれる。
【００３０】
以下の記述においては、図１に示すグループ中の基地局ＥＭ＝ＥＰ０＝ＳＴはマネージャ装置ＥＭとして装備される。
【００３１】
図２に示すように、本発明による装置の機能的関連付け方法は、主として主装置ＥＰ１〜ＥＰ５のいずれか１つのＥＰｉの付加に関し、主要な８段階ＥＴ０〜ＥＴ７を含む。ＥＰｉについては以下に示され、少なくともマネージャ装置ＥＭを含むグループ中にあり、ｉは１から５までの整数である。
【００３２】
本発明の特徴によれば、主装置ＥＰｉは、本装置の全体的な特徴となるプレゼンテーションＰＲｉによって識別される。主装置ＥＰｉのプレゼンテーションＰＲｉに関する以下の知見はすべて、マネージャ装置ＥＭ＝ＥＰ０のプレゼンテーションＰＲＯに適用される。
【００３３】
本装置の写真は装置をごく簡単に識別するものであり、一般向け環境によく適合したプレゼンテーションである。たとえば、プレゼンテーションは複数の次元および／またはフォーマットにしたがって、かつ／またはより詳細には、装置が提供する主な使用法に従って記録される。別の変形形態によれば、このプレゼンテーションは、主装置において使用可能な主要アプリケーションあるいは機能の目次ページ、あるいは記入すべきテキスト項目を含む書式集、あるいはリンク、すなわち本発明においては、たとえば「ＥＮＶＯＹＥＲ（送る）」などのコマンドである。
【００３４】
任意の所与の主装置のプレゼンテーションは、１つまたは複数のリンクのプレゼンテーションを有し、したがって各リンクは、各装置内にポインタ、すなわちユーザが、前記所与の主装置において読まれた新しいページのアドレス、あるいは前記所与の主装置において実行すべき機能のメニューコマンドを指定するためにクリックあるいは選択するスタートアンカーとなる。たとえば、アドレスは前記所与の主装置において使用可能な機能の目次ページのゴールアンカである。
【００３５】
所与の主装置のプレゼンテーション内のリンクは、所与の主装置の内部リンクであるが、他の装置においては外部リンクである。
【００３６】
本発明において、リンクは、スタートアンカーと、ゴールアンカによりアドレスされるゴールゾーンとを有するハイパーリンクとすることができ、主としてテキストモード、すなわち英数字を含むモードによるものであり、かつ／またはたとえば図やロゴタイプあるいは装置を識別する写真を含む画像モードによるものであり、かつ／または機能を命令するための多元的表示あるいはアイコンとすることも、さらにはビデオシーケンスが次々と現れるフレームからのマルチメディアリンクとすることも可能である。文字および／または画像は、音声および／またはビデオシーケンスと結びつくことが可能であり、さらには、音声シーケンスにおける言葉またはビデオシーケンスにおける画像自体を、ハイパーリンクまたはコマンドのスタートアンカーとすることができる。たとえば、機能の目次を表す音声シーケンスへの音声ハイパーリンクのスタートアンカーは、音声合成によりプレゼンテーションの複数の語が再現された後に、マイクの前で発音され選択される言葉とすることができる。したがって、これら種々のハイパーリンクモードは、リンクにマルチメディア性を付与する。
【００３７】
主装置ＥＰｉがそれ自体で前述のすべてのリンクモードを管理あるいは解釈することができない場合、主装置ＥＰｉは、少なくともリンクの主要な２つのモード、すなわちテキストモードと画像モードとを含むより内容の豊かなプレゼンテーションＰＲｉを、グループの他の主装置に提供する。
【００３８】
段階ＥＴ０では、プレゼンテーションＰＲｉは主装置ＥＰｉの常駐メモリにおいて設計され記憶される。すなわち、プレゼンテーションは装置の製造者によってあらかじめ設計されロードされるか、装置のユーザにより、たとえばダウンロードあるいはユーザの手動データ入力を介して、認識、修正、および／または補完される。他の変形形態によれば、装置ＥＰ０〜ＥＰ５のプレゼンテーションＰＲ１〜ＰＲ５は、少なくとも一部、マネージャ装置ＥＭ内で設計され記憶される。
【００３９】
しかしながら変形形態においては、主装置ＥＰｉの製造者は、装置のプレゼンテーションＰＲｉの更新を許さず、登録記号として保護することが重要である。この場合、主装置がたとえばこの作成されたホームページ、あるいは作成されたホームページが複数のページに階層化された場合の「ドーター」ページにおいて、主装置が提供を始めたばかりのプレゼンテーションの「サイン」を認識しなければ、主装置は他の装置と他の装置に結びついたハイパーメディア機能において作成ホームページのようなページを取り込むことを拒否する。より正確には、主装置は、主装置のプレゼンテーションではないチェックされたスタートアンカーをホームページにおける始まりとする、ハイパーリンクのスタートアンカーを取り込むことを拒否する。
【００４０】
本来の意味での関連付けの最初の段階ＥＴ１では、所与の主装置ＥＰｉを初めてマネージャ装置ＥＭに「接続」する。図１に示す最初の例によれば、主装置ＥＰｉすなわち移動周辺装置は、マネージャ装置ＥＭすなわち基地局のカバーゾーンにおいてその存在を知らせる。
【００４１】
段階ＥＴ２は、マネージャ装置ＥＭと所与の主装置ＥＰｉの「ペアリング」が、段階ＥＴ３でマネージャ装置が所与の主装置ＥＰｉのプレゼンテーションＰＲｉを取り込みあるいは選択して送るようにするために、プロトコルＤＨＣＰに従いマネージャ装置によって所与の主装置ＥＰｉに伝送されるＩＰｉアドレスの動的割り当ての要求から始まる。
【００４２】
より一般的には、マネージャ装置はそれぞれ異なったアドレスを主装置ＥＰ０〜ＥＰ５まで機能上の関連付けに応じて割り当てる。アドレスは「アドレスＩＰｉ／プレゼンテーションＰＲｉ」の通信テーブル中に格納される。そのためマネージャ装置は関連した主装置の上の階層でＩＰあるいはＴＣＰ／ＩＰにアクセスすることができる。
【００４３】
各装置はアドレスＩＰｉによって識別されたクライアント／サーバとして構成される。各装置は、テキストオンリー、テキストおよび画像等の表示および／または指示特性に応じて設計されたナビゲータ（ブラウザ）を備える。
【００４４】
装置の統合は、統合される装置の数を限定し、かつ／または各装置の使用の権利あるいは条件などを規定するようにユーザが選択することにより行われる。
【００４５】
グループに加えるべき主装置が既に「ホームページの動的作成の支援」インタフェースと「ホームページの動的作成」インタフェース、すなわち「主装置」機能と「マネージャ装置」機能を含むときには、「ホームページの動的作成」インタフェースは、手動ポジショニングによって使用不能とされ、かつ／または加えるべき主装置が装置の第１装置でない場合、および／または既に宣言したマネージャ装置が、たとえばグループの中で対立する複数のマネージャ装置の衝突を避けるため、装置の第１装置に対しプレゼンテーションを提示するよう求める場合には、「ホームページの動的作成」インタフェースは自ら使用不能となる。
【００４６】
次の段階ＥＴ３の開始時、所与の主装置ＥＰｉとのデータの交信を可能にする物理的階層が順次あるいは同時に示された後、マネージャ装置ＥＭはダウンロードによって主装置ＥＰｉのプレゼンテーションＰＲｉを取り込む。特に、ハイパーテキストＨＴＭＬあるいはＸＭＬ等、互換性のある言語による主装置ＥＰｉのテキスト・プレゼンテーションおよび／または画像プレゼンテーション、および、プレゼンテーションＰＲｉ中に含まれ、オブジェクトにアクセスするために通るパスの情報を含むインプットアドレスＵＲＬ（Ｕｎｉｆｏｒｍ  Ｒｅｓｏｕｒｃｅ  Ｌｏｃａｔｏｒ）により、機能の目次ページあるいは主装置ＥＰｉの機能などのオブジェクトに直接通じている各リンクが取り込まれる。より一般的には、取り込まれるプレゼンテーションはマルチメディアであり、言い換えればテキスト、画像、ビデオ、音声の各モードのリンクを含む。
【００４７】
所与の主装置ＥＰｉのプレゼンテーションＰＲｉはファイルとして所与の主装置ＥＰｉのアドレスＩＰｉに関連付けられる。それにより、「アドレスＩＰｉ／プレゼンテーションＰＲｉ」対応テーブルはマネージャ装置ＥＭ内で更新される。
【００４８】
次の段階ＥＴ４では、マネージャ装置ＥＭは、マネージャ装置ＥＭのプレゼンテーションＰＲＯと、所与の主装置ＥＰｉがマネージャ装置と関連付けられる最初の装置である場合にはプレゼンテーションＰＲｉを用いて、グループのホームページＰＧを作成するか、プレゼンテーションＰＲＯとすでに関連付けられた主装置の構成を用いて既に作成されたホームページに、所与の装置のプレゼンテーションＰＲｉを付加する。グループのホームページＰＧ、たとえばＨＴＭＬあるいはＶＲＭＬページにおいては、プレゼンテーションＰＲｉは、前述のテーブルの中に格納されクライアント／サーバ機能に必要なアドレスＩＰｉに対応する。ホームページの開設あるいは廃止は、主装置を動的にリンクするツールである。
【００４９】
一般的に、マネージャ装置ＥＭはテキストモードおよび画像モードの２つのモードによりホームページを作成し、場合によってはそれぞれが音声および／またはビデオに結び付けられる。
【００５０】
テキストモードによるホームページは、マネージャ装置の「ホームページの動的作成」のインタフェースにおいて、常時利用可能な所定のナビゲーション（ブラウザ）プログラムによるホームページ中に相互に自動的に配置される主装置のプレゼンテーションのテキストを含む。たとえば、テキストモードのプレゼンテーションは、主装置を示すアンダーラインを引いた語あるいは語群によって構成されるＨＴＭＬ外部ハイパーテキストリンクを用いて、主装置が付加される毎に順次上から下へと表示される。テキストモードのプレゼンテーションは、当該装置が実施可能な機能の数語のリストを直後にともなう装置の名称を含むことができる。
【００５１】
画像モードのホームページは、マネージャ装置において、常時利用可能な所定のナビゲーション（ブラウザ）プログラムによるホームページの中に、相互に自動的に配置される装置のプレゼンテーション画像を含む。たとえば、画像モードのプレゼンテーションは、主装置が付加される毎に右から左、上から下へと表される。装置の画像モードのプレゼンテーションは、たとえば色付きの線によって縁取られ、主装置を示す画像あるいはビデオシーケンスによって構成された、少なくとも１つの画像モードのリンクを含む。フレーム付き画像はクリッカブル画像であり、アクティブ画像とも呼ばれる。
【００５２】
変形形態によれば、構成の語と画像を組み合わせるモードは、ホームページの他のモードを構成する。たとえば、各プレゼンテーションは、装置の画像および／または機能の画像を、装置のテキストの語および／または機能のテキストの言葉を組み合わせ、かつ／または他の変形形態によれば、装置の音声語および／または機能の音声語と組み合わせる。
【００５３】
プレゼンテーションの各モードは、寸法自動調整セルの表内に編成される他の変形形態によれば、主装置のプレゼンテーションにそれぞれ割り当てられたセルである。
【００５４】
さらに段階ＥＴ５では、マネージャ装置ＥＭは、少なくとも装置ＥＰｉのプレゼンテーションＰＲｉと、特にすべての主装置ＥＰ０＝ＥＭ〜ＥＰ５内で、少なくともテキストモードと画像モードにより作成されたグループのホームページＰＧをダウンロードすることが好ましい。グループの中ですでに関連付けられた主装置中にあらかじめ記憶されたホームページは、自動的に消去されるか、他の変形形態によれば、更新される。「アドレスＩＰｉ／プレゼンテーションＰＲｉ」の対応テーブルも、全主装置ＥＰ１〜ＥＰ５において更新されるため、同様にマネージャ装置ＥＭによりダウンロードされる。
【００５５】
このようにして統合された主装置ＥＰ０＝ＥＭ〜ＥＰ５のホームページは、統合された主装置のプレゼンテーションの並置によって形成されたグループの装置のプレゼンテーションとなる。したがって、グループの装置はより数の多い機能を持つ他のグループの中に加えるべき主装置を構成することができる。グループの装置のプレゼンテーションは、グループＥＰ０＝ＥＭ〜ＥＰ５を示すハイパーリンクであるか、グループＥＰ０＝ＥＭ〜ＥＰ５の中に含まれる全主装置をそれぞれに示すリンク全体であるか、もしくはその両方である。この場合、段階ＥＴ５では、グループのホームページＰＧは、前記他のグループの中の主装置へグループのホームページＰＧを送信するため、前記別のグループのマネージャ装置にダウンロードされる。
【００５６】
各主装置ＥＰ０＝ＥＭ〜ＥＰ５は、グループのホームページＰＧに応答して、段階ＥＴ６での表示特性に対し最も適合するホームページ表示モードを選択する。たとえば主装置内での表示がテキストモードでしか行われない場合には、表示されるホームページはテキストしか含まないが、表示が画像モードによっても行われる場合には、表示されるホームページは画像しか含まないか、テキストと画像の組み合わせを含む。
【００５７】
主装置ＥＰｉのプレゼンテーション内に含まれ、主装置ＥＰｉにロードされたホームページ内に表示される内部リンクのスタートアンカーを選択クリックすることにより、機能の目次リストにアクセスするか、たとえば主装置ＥＰｉの機能のうちの１つを選択することができる。主装置ＥＰｉにロードされたホームページ内の外部リンクのスタートアンカーを選択クリックすることにより、たとえば別の主装置の機能の目次リストあるいはこの別の主装置の機能のうちの１つにアクセスすることができるこの別の主装置のプレゼンテーションが選択される。この選択クリックにより、任意の主装置からグループの別の装置内で利用可能な機能のすべてまたは一部を使用することができる。反対に、グループの任意の別の装置から主装置ＥＰｉへのアクセスおよびその使用が可能である。
【００５８】
主装置の機能のレベルにおける１つまたは複数のリンクにより、複数の装置に共通なホームページへの復帰または別の装置の機能へのアクセスが可能である。これらリンクは共通のホームページの受信に応答して主装置自身によって確立される。
【００５９】
次に、すでに構成されたグループに主装置を加入させる必要が生じる毎に、最終段階ＥＴ７で前段階が繰り返される。マネージャ装置ＥＭがホームページにその主装置のプレゼンテーションを加え、そのホームをすべての主装置にダウンロードする一方で、グループの各主装置は旧ホームページを追加ホームに置き換えるか、旧ホームページを更新する。このように、最近グループに加入した主装置内で利用可能な機能を追加することにより、主装置ＥＰ０＝ＥＭ〜ＥＰ５のグループは段階を追ってモジュール的に増設される。
【００６０】
前出の例では、基地局であるマネージャ装置ＥＰ０＝ＥＭと、移動周辺装置である主装置ＥＰ１〜ＥＰ５の間の関係は、小規模イントラネット網と等価のものを構成している。ＬＡＮで動的に結合および／またはグループ化しようとする装置の集まりは、この小規模イントラネット網という概念により、選択および／または規定される。
【００６１】
所与の主装置ＥＰｉは一旦関連付けがなされると、転送プロトコルＨＴＴＰを使用してグループ内の別の装置において利用可能な情報にアクセスする。しかしながら、検索される各対象毎にこれら２つの装置間で接続が確立されるのを防止するために、これら２つの装置間のリンクが維持され、同一ページの全対象が転送される。処理済テキスト、アクセント記号付き文字、画像、音声、ビデオ等、異なるフォーマットの要素は、あらゆる装置が別の任意の装置と通信ができるよう、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）ファイルフォーマットの識別仕様に従って伝送される。装置間のやり取りはＴＣＰ／ＩＰモードで行われる。
【００６２】
各装置は、たとえばマウス、キーボード、タッチスクリーン、音声認識、ジョイスティック、カーソル移動／キーボードの確定キーの組み合わせによる選択／指定等、類似したあるいは異なったナビゲーション／選択要素、ならびに他のリンクまたは他のマークにランクを付与するインタフェースを具備することもしないこともある。
【００６３】
各装置は独自のマン／マシンインタフェースを提供するが、クライアント装置は、クライアントにとって最も好都合なマン／マシンインタフェースの装置、すなわち、モニタ、キーボード、マウス等を含み最良の使用快適性を有する装置を使用して装置グループ全体にアクセスする。これにより、クライアント装置に提供される機能が特に置き換えにより有利にはモジュール的に増設され、かつ／または、小型キーボードおよび／またはモニタを有する簡易装置グループが提案され、それにより、配慮が必要な操作は、パーソナルコンピュータ、インターネットアクセス端末等、より発展した装置を介して最大限の快適性および／またはユーザフレンドリ性および／または安全性をもって行われることに留意されたい。
【００６４】
グループの装置間を接続する種類ならびに方法は、たとえば有線接続、ＧＳＭまたはＤＥＣＴ型無線接続、あるいは搬送電流接続等、種々のものにすることができる。しかしながら装置はＨＴＭＬハイパーテキストコードおよびブラウザと同様の機能を有することから、本発明はたとえば、マネージャ装置ＥＭ＝ＳＴ内の設備から装置ＥＰ３＝ＴＭ内にビデオテープレコーダをプログラムし、装置ＥＭ内で閲覧中のＷＥＢページをファックスＥＰ２＝ＦＡＸにより印刷し、「テレビ＋リモートコントローラ」装置のリモートコントローラのキーボードを使用して暖房設備の制御装置をプログラムする等といった可能性を提供する。
【００６５】
知られている一連の機能にいくつかの装置を関連付けることを主眼とする本方法の他の実施例を以下に記述する。以下の例に記載の構成においては、下線付きの語および反応画像と呼ばれる画像は、装置へ、または装置に関するページまたは機能へのＨＴＭＬハイパーリンクのスタートアンカーである。
【００６６】
第２の実施例によれば、２つの主装置ＡおよびＢは、図３に示すプレゼンテーションＰＲＡおよびＰＲＢを有する。装置Ａは、モニタを有しマネージャ装置として動作するミニテル−インターネット端末である。この装置は、「ミニテル−インターネット」テキストモード、および装置Ａの写真に関しての画像モードに従い、プレゼンテーションＰＲＡを記憶している。装置Ｂは、３行のテキストの表示バーを含むＧａｌｅｏ  ２６１０型三重機能電話装置であり、「Ｇａｌｅｏ  ２６１０（電話、ファックス、留守番電話）」テキストモード、および装置Ｂの写真に関しての画像モードに従い、プレゼンテーションＰＲＢを記憶している。このようにテキストモードのプレゼンテーションＰＲＢは、装置Ｂと、装置Ｂにより実施可能な機能を識別する３語とのハイパーテキスト名称を含む。
【００６７】
装置ＡおよびＢは、装置ＡおよびＢのメモリ内で読まれるプレゼンテーションＰＲＡおよびＰＲＢに応じてマネージャ装置によりＨＴＭＬハイパーテキストによるホームページが作成される１つのグループ装置ＡＢにまとめられる。本発明によれば、２つの装置ＡおよびＢの機能を提供するグループ装置ＡＢは、グループＡＢの外部装置およびグループ装置ＡＢが別のグループに含まれていれば、装置Ａおよび／または装置Ｂおよび／またはこの外部装置から使用することができる。このようにして構成される装置ＡＢの機能は、ハイパーリンクにより装置Ａからも装置Ｂからもアクセスすることができる。
【００６８】
装置Ａのモニタは、ＨＴＭＬページ内に含まれる反応画像または非反応画像を表示することができる。したがって、装置Ａからの装置ＡＢはテキストモードおよび／または画像モードで使用することができる。
【００６９】
図３Ａに示すように、装置Ａから見たグループ装置ＡＢのホームページＡＢ／Ａは、装置ＡおよびＢ内で読まれるプレゼンテーションＰＲＡおよびＰＲＢ内の２つの画像モードハイパーリンクで構成される。ホームページＡＢ／Ａ内のプレゼンテーションの配置は右から左かつ上から下であるが、たとえばアルファベット順による変形形態では、マネージャ装置Ａによって課される。装置Ａが備えるたとえばマウスにより、装置Ａのモニタに表示される装置ＡＢのホームページＡＢ／Ａ内の上の画像ＰＲＡを指定／選択する、すなわち「ダブルクリック」することにより、テキストモードおよび画像モードのリンクで作成されたＨＴＭＬプレゼンテーションをそれ自体も有することができる装置ＡのスタートホームページＡ／Ａにアクセスすることができる。装置Ａのモニタから見られる装置ＡＢのホームページＡＢ／Ａ内の下の画像ＰＲＢを指定／選択することにより、装置ＢのスタートホームページＢ／Ａであって、テキストモードおよび画像モードによるリンクをともなう装置Ｂの目次のプレゼンテーションが提供されているため好ましくは画像で表示されるホームページにアクセスすることができる。
【００７０】
装置Ｂの表示バーは、テキストおよびいくつかの特別なグラフのみを表示することができる。したがって装置Ｂからの装置ＡＢの使用はテキストモードでのみ可能である。
【００７１】
図３Ｂに示すように、装置Ｂから見たグループ装置ＡＢのホームページＡＢ／Ｂは、装置Ａへの「ミニテル−インターネット」テキストモード表示の外部ハイパーリンクと、「Ｇａｌｅｏ  ２６１０」テキストモード表示の内部ハイパーリンクと、「（電話、ファックス、留守番電話）」テキストモードの目次の３つの内部リンクとで構成される。ホームページＡＢ／Ｂ内のプレゼンテーションＰＲＡおよびＰＲＢの配置は上から下であるが、たとえばアルファベット順による変形形態では、マネージャ装置Ｂによって課される。装置Ｂが備えるたとえば上下キーおよび確定キーで「ミニテル−インターネット」を指定／選択することにより、画像なしテキストモードで読まれる装置Ａのホームページ〔Ａ／Ｂ〕にアクセスすることができる。装置Ｂが備えるたとえば上下キーおよび確定キーで「Ｇａｌｅｏ  ２６１０」を指定／選択することにより、装置Ｂのホームページ〔Ｂ／Ｂ〕にアクセスすることができる。すると、画像なしで表示されるＨＴＭＬを有する装置Ｂの初期動作に復帰する。
【００７２】
図示する実施形態によれば、装置Ｂは３行表示バーを具備するので、装置Ｂ上ではホームページ〔Ａ／Ｂ〕、〔Ｂ／Ｂ〕の一部しか表示されない。図３Ｂ内のＡ／Ｂ、Ｂ／Ｂに示すようなホームページ〔Ａ／Ｂ〕、〔Ｂ／Ｂ〕の全体を把握するためには、上下キーで装置Ｂの表示バーの線の上下方向スクロールを行う必要がある。
【００７３】
第３の実施例によれば、２つの主装置ＤおよびＥは、図４に示すプレゼンテーションＰＲＤおよびＰＲＥを有する。装置Ｄは、モニタを有しマネージャ装置として動作する遠隔監視端末である。この装置は、「遠隔監視中央装置」テキストモード、および装置Ｄの写真に関しての画像モードに従い、プレゼンテーションＰＲＤを記憶している。装置Ｅは、４行のテキスト表示バーを含む家庭用暖房装置の管理制御装置であり、「暖房管理」テキストモード、および管理制御装置を想起する写真に対する画像モードに従ってプレゼンテーションＰＲＥを記憶している。
【００７４】
装置ＤおよびＥは、装置ＤおよびＥのメモリ内で読まれるプレゼンテーションＰＲＤおよびＰＲＥに応じてマネージャ装置ＤによりＨＴＭＬハイパーテキストによるホームページが作成される１つのグループ装置ＤＥにまとめられる。本発明によれば、２つの装置ＤおよびＥの機能を提供するグループ装置ＤＥは、グループＤＥの外部装置およびグループ装置ＤＥが別のグループに含まれていれば、装置Ｄおよび／または装置Ｅおよび／またはこの外部装置から使用することができる。このようにして構成される装置ＤＥの機能は、ハイパーリンクにより装置Ｄからも装置Ｅからもアクセスすることができる。
【００７５】
装置Ｄのモニタは、ＨＴＭＬページ内に含まれる反応画像または非反応画像を表示することができる。したがって、装置Ｅからの装置ＤＥはテキストモードおよび／または画像モードで使用することができる。
【００７６】
図４Ｄに示すように、装置Ｄから見たグループ装置ＤＥのホームページＤＥ／Ｄは、装置ＤおよびＥ内で読まれるプレゼンテーションＰＲＤおよびＰＲＥ内の２つの画像モードハイパーリンクで構成される。ホームページＤＥ／Ｄ内のプレゼンテーションの配置は右から左かつ上から下であるが、たとえばアルファベット順による変形形態では、マネージャ装置Ｄによって課される。装置Ｄが備えるたとえばマウスにより、装置Ｄのモニタに表示される装置ＤＥのホームページＤＥ／Ｄ内の右の画像ＰＲＤを指定／選択する、すなわち「ダブルクリック」することにより、テキストモードおよび画像モードのリンクで作成されたＨＴＭＬ構成をそれ自体も有することができる装置ＤのスタートホームページＤ／Ｄにアクセスすることができる。装置Ｄのモニタから見られる装置ＤＥのホームページＤＥ／Ｄ内の左の画像ＰＲＥを指定／選択することにより、装置ＥのスタートホームページＥ／Ｄであって、画像モードによるリンクをともなう装置Ｅの目次のプレゼンテーションが提供されていないためテキストおよびテキストモードによるリンクしかない状態で表示されるホームページにアクセスすることができる。変形形態では、ホームページＥ／Ｄ内のプレゼンテーションＰＲＥおよびテキストモードにおけるリンクに、それぞれ合成音声メッセージを指定するゴールアンカが添付される。
【００７７】
装置Ｅの表示バーは、テキストおよびいくつかの特別なグラフのみを表示することができる。したがって装置Ｅからの装置ＤＥの使用はテキストモードでのみ可能である。
【００７８】
図４Ｅに示すように、装置Ｅから見たグループ装置ＤＥのホームページＤＥ／Ｅは、装置Ｄへの「遠隔監視中央装置」テキストモード表示の外部ハイパーリンクと、「暖房管理」テキストモード表示の内部ハイパーリンクとで構成される。ホームページＤＥ／Ｅ内のプレゼンテーションＰＲＤおよびＰＲＥの配置は上から下であるが、たとえばアルファベット順による変形形態では、主装置Ｅによって課される。装置Ｅが備えるたとえば上下キーおよび確定キーで「遠隔監視中央装置」を指定／選択することにより、画像なしテキストモードで読まれる装置Ｄのホームページ〔Ｄ／Ｅ〕にアクセスすることができる。装置Ｅが備えるたとえば上下キーおよび確定キーで「暖房管理」を指定／選択することにより、装置Ｅのホームページ〔Ｅ／Ｅ〕にアクセスすることができる。すると、画像なしで表示されるＨＴＭＬを有する装置Ｅの初期動作に復帰する。
【００７９】
図示する実施形態によれば、装置Ｅは４行表示バーを具備するので、装置Ｅ上ではホームページ〔Ｄ／Ｅ〕、〔Ｅ／Ｅ〕の一部しか表示されない。図４Ｅ内のＤ／Ｅ、Ｅ／Ｅに示すようなホームページ〔Ｄ／Ｅ〕、〔Ｅ／Ｅ〕の全体を把握するためには、上下キーで装置Ｅの表示バーの線の上下方向スクロールを行う必要がある。
【００８０】
第４の実施例によれば、前出の主装置Ａ、Ｂ、ＤおよびＥはグループ装置ＡＢＤＥにまとめられる。本発明によれば、４つの装置Ａ、Ｂ、ＤおよびＥの機能を提供するグループ装置ＡＢＤＥは、グループＡＢＤＥの外部装置およびグループ装置ＡＢＤＥが別のグループに含まれていれば、装置Ａおよび／または装置Ｂおよび／または装置Ｄおよび／または装置Ｅおよび／またはこの外部装置から使用することができる。このようにして構成される装置ＡＢＤＥの機能は、ハイパーリンクにより装置Ａ、Ｂ、ＤおよびＥのいずれからもアクセスすることができる。
【００８１】
この第４の実施例においては、装置ＡおよびＤは、ＨＴＭＬページ内に含まれる反応画像または非反応画像を表示するためのモニタを具備する。装置ＡおよびＤのうちの一方は、装置Ａ、Ｂ、ＤおよびＥ内で読まれるプレゼンテーションＰＲＡ、ＰＲＢ、ＰＲＤおよびＰＲＥに応じてグループ装置ＡＢＤＥのＨＴＭＬハイパーテキストによるホームページを作成するグループのマネージャ装置である。したがって、装置ＡまたはＤからの装置ＡＢＤＥはテキストモードおよび／または画像モードで使用することができる。
【００８２】
図５に示すように、装置ＡまたはＤから見たグループ装置ＡＢＤＥのホームページＡＢＤＥ／ＡＤは、装置Ａ、Ｂ、ＤおよびＥのメモリ内で読まれるプレゼンテーションＰＲＡ、ＰＲＢ、ＰＲＤおよびＰＲＥ内の４つの画像モードハイパーリンクで構成される。「家」の画像または「ファックス」の画像を指定／選択する、すなわち、装置ＡまたはＤから見てグループ装置ＡＢＤＥのホームページＡＢＤＥ／ＡＤ内の右下の画像ＰＲＥまたは左下の画像ＰＲＢを装置ＡまたはＢが装備するマウスで「ダブルクリック」することにより、装置ＥまたはＢの目次のプレゼンテーションがテキストモードおよび画像モードによる内部リンクと共に提供されている場合は、テキストモードおよび画像モードによるリンクで作成されるＨＴＭＬプレゼンテーションを有することができる装置ＥまたはＢのスタートホームページ（目次）にアクセスすることができる。
【００８３】
装置ＢおよびＥはそれぞれ、テキストおよびいくつかの特別なグラフのみを表示するための表示バーを具備するので、装置ＢまたはＥから見たグループ装置ＡＢＤＥのホームページＡＢＤＥ／ＢＥは、装置Ａ、Ｂ、ＤおよびＥ内で読まれるプレゼンテーションＰＲＡ、ＰＲＢ、ＰＲＤおよびＰＲＥ内の４つのテキストモードハイパーリンクで構成される。装置ＢおよびＥ中の表示バーはリンク当たり３行しかないので、図５には３つのプレゼンテーションＰＲＤ、ＰＲＥ、ＰＲＡしか示してない。
【００８４】
図６に示す変形形態によれば、装置Ｂを指定する「ファックス  Ｇａｌｅｏ  ２６１０」ハイパーリンクがない図５に示す表示バーにおけるように、ハイパーリンクの一部がユーザに直接提示されなくなるのを防止するために、たとえば家、通信等、同種の機能に従って、「マザー」ハイパーテキストページと複数の「ドーター」中間ハイパーテキストページが形成される。「マザー」ハイパーテキストページＭ／ＢＥは、装置ＢまたはＥからグループ装置ＡＢＤＥを使用するために、「家」および「通信」スタートアンカーを備える。「家」というスタートアンカーを選択することにより、ユーザの家に関連するハイパーリンク、言い換えれば装置ＤおよびＥのテキストモードのプレゼンテーション、すなわち「遠隔監視中央装置」、「暖房管理」へのハイパーリンクに向けられたドーターハイパーテキストページＦ１／ＢＥにアクセスすることができる。「通信」というスタートアンカーを選択することにより、装置ＡおよびＢのテキストモードのプレゼンテーション、すなわち「ミニテル−インターネット」、「ファックス  Ｇａｌｅｏ  ２６１０」のようにユーザに提供された通信サービスに関するハイパーリンクに向けられたドーターハイパーテキストページＦ２／ＢＥにアクセスすることができる。
【００８５】
類似する別の変形形態によれば、たとえば、主装置すなわち一まとめにされた装置のプレゼンテーションの画像の数が過大であるか、プレゼンテーションの画像が大き過ぎて同一画面上に表示されない時には、「マザー」および「ドーター」ページは画像モードで作成される。「マザー」および「ドーター」ページの作成は、関連付けされた装置の全体または一部により行われるか、たとえば画像バンクを提供するオンラインサービスを使用して行われる。
【００８６】
第５の実施例によれば、各装置がリンクによりその機能に自律的に既にアクセスしていれば、諸装置は完全に運用される。
【００８７】
装置Ｅ１、Ｅ２およびＥ３が本発明の異なる原理に従って１つのグループとして関連付けられ、遠隔監視装置のようなグループ装置Ｅ１２３を形成する時には、グループの各装置にアクセスするのに、本発明による主装置として複数装置のうちの１つのみを適合させるだけで十分である場合がある。主装置は、グループ中で最も多機能な装置であることが好ましい。
【００８８】
図７を参照すると、装置Ｅ１は、グループＥ１２３の主装置を構成する中央警報装置であり、最初の動作を維持し、「ホームページの動的作成ヘルプ」インタフェースも、「ホームページの動的作成」インタフェースも備えないセンサやカメラのような装置Ｅ２およびＥ３に接続されている。装置Ｅ１は第２グループＥ１４５にも含まれる主装置でもある。この第２グループはまた、モニタを備え、マネージャ装置Ｅ４として動作するミニテル−インターネット端末と、主装置Ｅ５としてのビデオテープレコーダを具備するテレビジョン装置とを備え、両者は装置Ｅ１に接続されている。
【００８９】
本発明によれば、センサＥ２およびカメラＥ３は、装置Ｅ１または装置Ｅ４または装置Ｅ５からモニタされ制御される。
【００９０】
図８に示す第６の実施例によれば、本発明による中央マネージャ装置ＭＯおよび主装置ＩおよびＥＰＲ１〜ＥＰＲ４はそれぞれ、ＤＥＣＴ型無線伝送システムを介して相互に接続されたパーソナルコンピュータ、プリンタ、「ミニテル−インターネット」端末あるいはネットコンピュータである。装置ＥＰＲ１〜ＥＰＲ４は、特にインターネット網（ＷＥＢ、Ｅメール、ニュース等）にアクセスするための電話網ＲＴが接続され、本発明の特徴に従い、中央装置ＭＯおよびプリンタＩと通信することができる。
【００９１】
この実施例においては、マネージャ装置ＭＯは、装置ＥＰＲ１〜ＥＰＲ４が自由に利用できる所定の複数のアプリケーションを含む手段とみなされる。アプリケーションにそれぞれ関連付けられるプレゼンテーションＴＴ、ＤＩはマネージャ装置ＭＯ内に記憶されている。アプリケーションのプレゼンテーションＴＴは、画像モードのハイパーリンクまたはコマンドのスタートアンカーであり、ＨＴＭＬ言語にあるいはＨＴＭＬ言語から変換されるワードプロセシング・アプリケーション用のシート上でＷの文字で囲まれた像の形状である。他方のアプリケーションのプレゼンテーションＤＩは、同じく画像モードのハイパーリンクまたはコマンドのスタートアンカーであり、たとえば予約仮想ディスクを構成するディスク空間のアプリケーション用のディスクで囲まれた像の形状である。マネージャ装置ＭＯは、主装置ＩおよびＥＰＲ１〜ＥＰＲ４内で読まれるプレゼンテーションＰＲＩおよびＭＩ１〜ＭＩ４も取得している。
【００９２】
本発明によれば、マネージャ装置ＭＯは、たとえばユーザの管理下で、Ｔ１＝（ＭＩ１＋ＴＴ１＋ＤＩ１＋ＰＲＩ）、Ｔ２＝（ＭＩ２＋ＴＴ２＋ＤＩ２＋ＰＲＩ）、Ｔ３＝（ＭＩ３＋ＴＴ３＋ＤＩ３＋ＰＲＩ）、Ｔ４＝（ＭＩ４＋ＴＴ４＋ＤＩ４＋ＰＲＩ）の仮想端末型の４つのワークステーションＴ１〜Ｔ４に、ミニテル−インターネットＭＩ、ワードプロセッシングＴＴ、予約仮想空間ＤＩ、および印刷ＰＲＩの４つの所定のアプリケーションを集約しており、ワークステーションＴｊ＝（ＭＩｊ＋ＴＴｊ＋ＤＩｊ＋ＰＲＩ）は主装置ＥＰＲｊ専用であり、ｊは１から４までの整数である。
【００９３】
図２の段階ＥＴ４では、図９に示すように、マネージャ装置ＭＯは、それぞれワークステーションＴ１〜Ｔ４に対応するホームページＥＰＲ１／Ｔ１〜ＥＰＲ４／Ｔ４を作成し、これらホームページをそれぞれ主装置Ｔ１〜Ｔ４にダウンロードする。主装置ＥＰＲｊ内にロードされるホームページは、装置ＥＰＲｊの構成ＭＩｊ、マネージャ装置ＭＯによって提供されるアプリケーションの２つのプレゼンテーション、プリンタＩのプレゼンテーションＰＲＩ、すなわちワークステーションＴｊの４つのアプリケーションを含む。
【００９４】
ワークステーションＴｊ内の各アプリケーションは、ワークステーションＴｊ内の任意の別のアプリケーションと協働する。したがって、ホームページＥＰＲｊ／Ｔｊ内に表示されるプレゼンテーションＴＴｊ、ＤＩｊ、ＰＲＩおよびＭＩｊをそれぞれクリックすることにより、各ミニテル−インターネットＥＰＲｊから、ワードプロセッシングによる文書の作成、マネージャ装置ＭＯのハードディスクの仮想ディスク空間へのこれら文書に対応するファイルの保存、プリンタＩによるこれらのファイルの印刷、閲覧した情報を保存および／または印刷する可能性を有するインターネット網を通じたサービスへのアクセスを開始することができる。
【００９５】
第６の実施例による装置の構成は特に教育分野に適する。高い原価を有するマネージャ装置ＭＯは教師の責任下に置かれ、より低コストでより多数の生徒が利用できる、より多数の主装置ＥＰＲ１〜ＥＰＲ４にテキストエディタ、ハードディスクおよび印刷などの資源を提供する。
【００９６】
次に図１０を参照すると、マネージャ装置は、本発明の第７の実施例に従って各プレゼンテーションを記憶する主装置Ｃ１〜Ｃ４およびＩＭと一まとめにすべきマイクロコンピュータの中央処理装置ＵＣである。主装置Ｃ１〜Ｃ４はマイクロコンピュータの中央処理装置ＵＣのバスＢＵの接続された電子カードであり、各アプリケーションを管理し、図１０内の中央処理装置ＵＣに接続されたマイクロコンピュータのモニタＥＣに示すような各アプリケーションの少なくとも画像モードのプレゼンテーションＰＲＣ１〜ＰＲＣ４を常駐メモリに有する。たとえば装置Ｃ１は写真のデジタル化アプリケーションを管理し、装置Ｃ２はＣＤＲＯＭドライブ管理アプリケーションを管理し、装置Ｃ３は家庭用暖房の集中管理アプリケーションを管理し、装置Ｃ４はゲームコンソールのアプリケーションを管理する。主装置ＩＭは画像モードのプレゼンテーションＰＲＩＭを有し、中央処理装置ＵＣのシリアルポートのうちの１つに接続されたプリンタである。
【００９７】
この第７の実施例においては、マイクロコンピュータの中央処理装置ＵＣが主装置Ｃ１〜Ｃ４およびＩＭにプレゼンテーションを提供することは意味がない。中央処理装置ＵＣは専ら、装置Ｃ１〜Ｃ４がモニタＥＣ、キーボード、マウス等の入／出力部を自由に利用できるようにするための「ホスト」とみなされる。
【００９８】
マネージャ装置ＵＣは、カードＣ１〜Ｃ４内で利用可能なアプリケーションのプレゼンテーションＰＲＣ１〜ＰＲＣ４およびプリンタＩＭのプレゼンテーションＰＲＩＭを段階ＥＴ３で取り込んだ後、段階ＥＴ４で、これらのプレゼンテーションからホームページを作成する。ホームページは、ホームページからアプリケーションにアクセスし場合によっては主装置Ｃ１〜Ｃ４およびＩＭにホームページをダウンロードするマネージャ装置ＵＣにより管理される。
【００９９】
初期主装置Ｃ１〜Ｃ４およびＩＭのうちの１つを呼び出すことによりホームページが開かれ、上のようにしてまとめられたアプリケーションにアクセスすることができる。
【０１００】
変形形態では、ホームページは、関連付けをしようとする装置または装置グループを選択するユーザの管理下で作成される。
【０１０１】
第７の実施例は、装置グループへの、主装置Ｃ１〜Ｃ４およびＩＭのより人間工学的な使用を可能にするモニタＥＣ、キーボード、マウス等のローカル「副」装置の導入を示す。
【図面の簡単な説明】
【図１】  ミニテル−インターネットのマネージャ装置と、無線伝送システムによって接続された主装置とを含む装置グループの概略ブロックダイヤグラムである。
【図２】  特に図１に示す第１実施例による初めてマネージャ装置に主装置を接続する際の、本発明による装置の関連付け方法のアルゴリズムである。
【図３】  第２の例によるグループを形成する２つの装置のプレゼンテーションを表す図である。
【図３Ａ】  第２の例による２つの装置のうちの一方の画面上で見られるホームページ、および２つの装置に関して画面上で見られる目次ページを示す図である。
【図３Ｂ】  第２の例による２つの装置のうちの他方の表示バー上で見られるホームページ、および２つの装置に関して表示バー上で見られる目次ページを示す図である。
【図４】  第３の例によるグループを形成する２つの装置のプレゼンテーションを示す図である。
【図４Ｄ】  第３の例による２つの装置のうちの一方の画面上で見られるホームページ、および２つの装置に関して画面上で見られる目次ページを示す図である。
【図４Ｅ】  第３の例による２つの装置のうちの他方の表示バー上で見られるホームページ、および２つの装置に関して表示バー上で見られる目次ページを示す図である。
【図５】  第４の例によるグループを形成する４つの装置のプレゼンテーションを示す図である。
【図６】  第４の例による４つの装置からなるグループのマザーホームページ、およびマザーページよりテキストモードでハイパーリンクによって選択された２つのドーターページを示す図である。
【図７】  第５の例による３つの装置からなるグループの概略ブロックダイアグラムである。
【図８】  第６の例による６つの装置からなるグループの概略ブロックダイアグラムである。
【図９】  第６の例による装置グループ内に主装置として含まれる４つのミニテル−インターネット端末のホームページを示す図である。
【図１０】  ４つの主装置が電子カードである、第７の例による６つの装置のうちのグループの概略ブロックダイアグラムである。
【図１】
0004147745.tif 000002
【図２】
0004147745.tif 000003
【図３】
0004147745.tif 000004
【図３Ａ】
0004147745.tif 000005
【図３Ｂ】
0004147745.tif 000006
【図４】
0004147745.tif 000007
【図４Ｄ】
0004147745.tif 000008
【図４Ｅ】
0004147745.tif 000009
【図５】
0004147745.tif 000010
【図６】
0004147745.tif 000011
【図７】
0004147745.tif 000012
【図８】
0004147745.tif 000013
【図９】
0004147745.tif 000014
【図１０】
0004147745.tif 000015